(57)【特許請求の範囲】
【請求項１】
電子音により音楽を作成する電子回路が搭載された回路基板と，前記電子回路によって作成された電子音楽を鳴動させるスピーカと前記電子回路に電力を供給する電池とを有する電子音楽発生部と、
前記スピーカの前面が外側に向けて収容される厚紙製の方形のスピーカ収容室と、前記スピーカの裏面側に前記回路基板が収容される厚紙製の方形の電子回路基板収容室と、該電子回路基板収容室の外側に設けられた前記電池が装着される電池ケースとを有する内側ケースと、
前記内側ケースが収容されると共に、前記スピーカの前面側および前記電池ケースの電池装着面側を開口可能とする蓋体が設けられ、かつ前記回路基板に設置された少なくとも電源スイッチおよび音量調整部を操作するための開口部が側壁に設けられた厚紙製の外側ケースとを備えた電子オルゴール。
【請求項２】
前記スピーカ収容室と前記回路基板収容室とを同一の収容室として形成するよう前記内側ケースを構成した請求項１記載の電子オルゴール。
【請求項３】
複数の放音孔が形成され前記スピーカの載置される方形の前面部を有すると共に、該前面部の四方にケース片が形成され、該ケース片の一方の対向する２辺のケース片で前記スピーカ収容室、他方の対向する２辺のケース片で前記回路基板収容室がそれぞれ形成される内側ケース本体部と、
前記前面部の裏面に配置されるものであって、該前面部に載置される前記スピーカの外形と合致する位置決め孔を有し、かつ前記前面部と略同一の外形を有する位置決め用厚紙と、
該位置決め用厚紙上に配置されて前記スピーカの裏面の周縁を押えるための開口孔を有し、かつ前記内側ケース本体部の前記スピーカ収容室を形成するケース片の内壁に沿って少なくとも対向する２辺に起立させ得る切起片が設けられたスピーカ押え用厚紙とを備え、
前記内側ケース本体部の前記スピーカ収容室形成用ケース片により、前記スピーカ押え用厚紙の切起片の先端を押圧して、前記スピーカを固定するように前記内側ケースを構成した請求項１記載の電子オルゴール。
【請求項４】
前記電子音により音楽を作成する電子回路に、複数の曲目の電子音楽を収容し、必要に応じて曲目を選択して切替えるようにした請求項１記載の電子オルゴール。
【請求項５】
前記各厚紙を段ボールで形成した請求項１，２又は３記載の電子オルゴール。
【発明の詳細な説明】
【０００１】
【発明の属する技術分野】
本発明は、電子オルゴールに関するもので、特に特殊なケースに収容した電子オルゴールに関するものである。
【０００２】
【従来の技術】
電子オルゴールは、従来、電話通話中に相手方を一時的に待機してもらう、所謂通話保留の際に、その相手方に電子音による音楽等を送出するための装置として用いられることが多い。しかし、この様な使用方法以外として、従来の機械音響的なオルゴールと同様に、単独の電子オルゴールとして使用されるようになりつつある。この単独の電子オルゴールは、電子音により音楽を作成する電子回路，この作成された電子音楽を鳴動させるスピーカ及び電子回路等に電力を供給する電源から構成され、プラスチック製や木製のケースに収納されるのが一般的である。
【０００３】
なお、本願出願人の創作に係る電子オルゴールの電子音楽発生回路は、図８に示すような回路である。図８において、１は押釦スイッチでオルゴール音の音色を２種類以上に切替えるためのスイッチである。２はＣＰＵを含むコントローラで、スイッチ２のオン信号によって音色切替信号を送出するものである。３はサウンドジェネレータで、予め記憶されているオルゴールの演奏曲を発生させるものである。４はオーディオアンプでサウンドジェネレータ３の出力信号を増幅するものである。５はスピーカ、６は電源スイッチ付きのボリュームで、電源のオンオフと共に音量を可変するものである。
【０００４】
サウンドジェネレータ３に対するコントローラ２からの制御信号は、押釦スイッチ１を押すことによって図９に示すように音色指定のデータ／コマンド（Ｄ／Ｃ）が送られ、これに続きデータＮｏがコントローラ２を構成する８ビットのＣＰＵから送られて音色が切り替わるものである。データ（Ｄ0 〜Ｄ7 ）とデータ／コマンド（Ｄ／Ｃ）は、イネーブル信号（Ｅ）の立ち下がりで読み込まれる。この音色切替えは、ＣＰＵのメモリに書き込まれている複数の音色データを押釦スイッチ１を押す度毎に順次に読み出されて、サウンドジェネレータ３に送られる。そして記憶されている複数種類の音色がすべて切り替わると、最初の音色データに戻るようになっている。
なお、サウンドジェネレータ３には複数の演奏曲目を記憶させておき、図示してない切替スイッチで演奏曲目を変えるようにしてもよい。
このような電子オルゴールは、従来の機械式オルゴールのピアノ的音色に限定されることがなく、可成り広範囲な音色や音域、或いは複音構成も可能であり、機械式オルゴールとは異なった趣向のオルゴールとして更に普及すると推測される。
【０００５】
【発明が解決しようとする課題】
しかしながら、前述したようにオルゴールケースとして、プラスチック製のケースの場合は、型代が高価であるため小ロット生産に適しておらず、また木製の場合も加工に手間が掛り、高価になるなどの問題がある。また、プラスチック製や木製の場合は、ケースとして組み立てられたとき各部品の加工精度が精密でないと、ビリツキが起こり易いという問題がある。これは特にスピーカを用いた電子オルゴールにおいてその商品価値を損なうことになるものである。
本発明による電子オルゴールは、オルゴールケースを厚紙、特に段ボールにより製作することにより、小ロット生産を可能にすると共に、製造工程を容易とし、生産コストの低減が図られ、更に音響的にも極めて良好な音質が得られるものである。
【０００６】
【課題を解決するための手段】
本発明による電子オルゴールは、電子音により音楽を作成する電子回路が搭載された回路基板と，前記電子回路によって作成された電子音楽を鳴動させるスピーカと前記電子回路に電力を供給する電池とを有する電子音楽発生部と、前記スピーカの前面が外側に向けて収容される厚紙製の方形のスピーカ収容室と、前記スピーカの裏面側に前記回路基板が収容される厚紙製の方形の電子回路基板収容室と、該電子回路基板収容室の外側に設けられた前記電池が装着される電池ケースとを有する内側ケースと、前記内側ケースが収容されると共に、前記スピーカの前面側および前記電池ケースの電池装着面側を開口可能とする蓋体が設けられ、かつ前記回路基板に設置された少なくとも電源スイッチおよび音量調整部を操作するための開口部が側壁に設けられた厚紙製の外側ケースとを備えたものである。
【０００７】
【発明の実施の形態】
図１は本発明の電子オルゴールの一実施例の外観の斜視図で、１１は外ケースで図面上の上面と下面に開閉自由の前蓋１１ａ，後蓋１１ｂが設けられ、その側壁には電源スイッチ、音量・音質等を調整する部品の一部が露出する開口部１１ｃが設けられている。１２は外ケース１１の内部に組込まれた内ケースで、図面上の上面側にスピーカの発音面が、また下面側に電池交換が容易に行えるようになっている。図２は内ケース１２に電子オルゴールの構成部品が組込まれた状態の側面断面図であり、１３は方形のスピーカ収容室でスピー６か設置され、１４は方形の回路基板収容室で、図８に示した各種電子部品や押釦スイッチ２，スイッチ付きボリューム７の電気部品等が搭載されている回路基板１５が組込まれている。また、回路基板収容室１４の底面下方には図４に示す電池ケース１６が接着剤或いは両面粘着テープ等により固着されている。なお、回路基板１５の上面には各種電子部品等８が、下面には各種電子部品等を接続する回路パターン９が設けられ、半田付け等により接続されている。
【０００８】
なお、電池ケース１６は、図４（ｂ）に示すように、例えば単３電池が４個収容できる一般的なもので、図４（ａ）において上面になっている底面１６ａを、固着するものである。また、図４（ｂ）の１６ｂは電池１のマイナス側接触用のつる巻型スプリング端子、１６ｃはプラス側接触用端子、１６ｄは電子回路接続端子である。
図３は、電子オルゴールの回路構成部品が組込まれていない状態の内ケース２の組立斜視図である。図２に示したスピーカ収容室１３は、四方も囲まれている空間室として形成され、その上面にはスピーカの放音孔１７が複数個設けられている。また、回路基板収容室１４の対向する一方向は壁面で、この壁面には回路基板１５の両側面に突出している各２個の突起部（図示せず）が嵌合する保持孔１８が設けられ、回路基板１５の前記突起部を嵌入して回路基板収容室１４に保持固定するようになっている。
【０００９】
この内ケース１２の構造を、図５（ａ）（ｂ）（ｃ）に示した展開図により説明する。図５（ａ）は内ケース１２の内ケース本体部１９で、前面部２０とその四方に形成されているケース片２１，２２，２３，２４から構成され、前面部２０には放音孔１７が複数個設けてある。図５（ｂ）はスピーカ位置決め板２５で、その外側寸法は内ケース本体部１９の前面部２０と一致し、また中央部にはスピーカの外形と一致する開口孔２５ａが設けられている。図５（ｃ）はスピーカ押え板２６で、鎖線で囲まれた中央部２７にはスピーカの外形より少し小さい円形の開口孔２６ａが設けられると共に、その四方に折曲げることにより起立する切起部２８が設けられている。また中央部２７の外形寸法は、内ケース本体部１９の前面部２０と一致するようになっている。なお、図５（ａ）（ｃ）の鎖線箇所は折曲げ部分を示している。
【００１０】
次に、内ケース１２の組立構造を図５に基づいて説明する。先ず、ケース本体部１９の前面部２０にスピーカ位置決め板２５を置き、その開口孔２５ａに係合させてスピーカを載置し、更にその上にスピーカ押え板２６を、その各折曲部２６ｂを内側に折曲げて切起部２８を起立させるようにして載置する。この状態で内ケース本体部１９のケース片２１〜２４の折曲部２１ａ〜２４ａを内側に約９０°折曲げ、その後ケース片２１，２３の折曲部２１ｂ，２３ｂを内側に折曲げて重ね合せ、接着剤や粘着テープで接着し固定する。
次に電気部品等が搭載されているプリント基板１５の両側面に突出している各２個の突起部（図示せず）を、ケース片２２，２４の保持孔１８に嵌入した後、その折曲部２２ｂ，２４ｂを内側に折曲げて重ね合せ、接着剤や粘着テープで接着し固定する。次に図４に示してある電池ケース１６を、ケース片２２又は２４の平面部２２ｃ又は２４ｃの外側に接着剤や粘着テープで接着し固定する。このの組立において、スピーカ押え板２６の各切起部２８の先端部は、ケース片２１，２３の折曲部２１ｂ，２３ｂ直近の平面部２１ｃ２３ｃとその両側縁部により押圧されるため、スピーカは厚紙の弾力性により十分な押圧力で固定される。
【００１１】
なお、スピーカ押え板２６の各切起部２８の高さは、ケース片２１，２３の折曲部２１ａと２１ｂとの間隔又は折曲部２３ａと２３ｂとの間隔にほぼ等しい寸法とする。また、スピーカ押え板２６の各切起部２８の先端部に深さの大きくない細かい切込部を設けることにより、切起部２８の寸法の許容誤差を緩和することができると共に、スピーカの押圧力を高めることができる。
また、内ケース本体部１９のケース片２１〜２４に設けられた切欠部２１ｄ〜２４ｄ、及びスピーカ押え板２６の開口孔２５ａの切欠部２６ｃ，２６ｄは、スピーカ６とプリント基板１５の電子回路と電池ケース１６との間を配線する図示してないリード線の挿通孔になる部分である。また、ケース素材の厚さによっては、内ケース本体部１９の各折曲部はケース片２１〜２４の重なり順序を考慮して、若干位置をずらすようにしてもよい。
【００１２】
次に外ケース１１の組立構造を図６に基づいて説明する。外ケース本体部２９は、側壁面となるケース片３０，３１，３２，３３と、前蓋，後蓋を構成するケース片３４，３５、及び各ケース片の折曲片３０ａ，３０ｂ，３１ａ，３２ａ，３２ｂ，３３ａ，３４ａ，３５ａとから形成されている。
組立は、最初に外ケース本体部２９の折曲部２９ａ〜２９ｄをそれぞれ内側に９０°折曲げ、ケース片３０の内側とケース片３３の折曲片３３ａの外側とを接着剤や粘着テープで接着し固定する。次に折曲片３０ａ，３０ｂ，３１ａ，３２ａ，３２ｂを、その折曲部３０ｃ，３０ｄ，３１ｂ，３２ｃ，３２ｄでそれぞれ内側に１８０°折曲げ、ケース片３０，３１，３２との接触面を接着剤や粘着テープで接着し固定する。但し、内ケース１２を挿入することにより、これらの折曲片がケース片３０，３１，３２の内面に押さえられるようにしておくことにより、必ずしも接着させることもない。次にケース片３４，３５の折曲部３４ｂ，３４ｃ，３５ｂ，３５ｃをそれぞれ内側に約９０°折曲げ、前蓋部と後蓋部とを形成する。ケース片３４及び３５の折曲片３４ａ，３５ａは、ケース片３３，３１の内面に係合されることになる。
【００１３】
なお、ケース片３１には折曲片３１ａが形成されているのに対し、ケース片３３にはそれに対応する折曲片は形成されていが、これは特別の意味を有するものではない。但し、折曲片を設ければ箱の構造が若干強固になるが、箱体としては対象部分に折曲片がない方が、すっきりとした外観になる。また、前蓋部を構成するのをケース片３４と折曲片３４ａとの間に、ケース片３１と略同一寸法のケース片を設けると共に、折曲部３５ｂの箇所に折曲片３４ａ（幅を狭くしてもよい）の挿入孔を設け、音量，音質等の調整部品が覗き出る開口部１１ｃを覆うように、前蓋部を長くしてもよい。
この外ケース１１に前述した内ケース組立を装着することにより、電子オルゴールが形成される。なお、外ケース１１の外周には、様々な色紙や布地等を貼ったり、塗装により装飾を施すこともできる。
【００１４】
図７は本発明の他の実施例の内ケース４１であり、図７（ａ）内ケース４１に電子オルゴールの構成部品が組込まれた状態の側面断面図で、空間部４２にはスピー６１が設置されると共に、図８に示した各種電子部品や、押釦スイッチ２，スイッチ付きボリューム７の電気部品等が搭載されている回路基板１５が組込まれている。また、空間部４２の底面下方には図４に示す電池ケース１６が接着剤或いは両面粘着テープ等により固着されている。図７（ｂ）は、電子オルゴールの回路構成部品が組込まれていない状態の内ケース２の組立斜視図である。
次に、この内ケース４１の組立構造を、図７（ｃ）に示した展開図により説明する。内ケース４１は前面部４３とその四方に形成されているケース片４４，４５，４６，４７から構成され、前面部４３には放音孔１７が多数設けてある。ケース片４４はスピーカの位置決め板で、中央部にはスピーカの外形と一致する開口孔４４ａが設けられている。ケース片４６はスピーカ押え板で、中央部にはスピーカの外形より少し小さい円形開口孔４６ａが設けられると共に、その上下２辺には折曲げることにより起立する切起部４８が設けられている。
【００１５】
内ケース４１の組立は、先ずスピーカの位置決め板となるケース片４４を折曲部４４ｂで内側に１８０°折曲げ、その開口孔４４ａに係合させてスピーカを載置する。そして、更にその上にスピーカ押え板となるケース片４６を折曲部４６ｂで内側に１８０°折曲げてスピーカを押えるようにすると共に、切起部４８，４９を折曲部４６ｃ，４６ｄで内側に約９０°折曲げる。次にケース片４５，４７をその折曲部４５ａ，４７ａで内側に９０°折曲げ起立させる。この状態で電気部品等が搭載されているプリント基板１５の両側面に突出している各２個の突起部（図示せず）を、ケース片４５，４６，４７に設けられている保持孔１８に嵌入し、ケース片４５，４７は，更にケース片４６の切起部４８，４９を抱込むようにして折曲部４５ｂ，４７ｂで内側に９０°折曲げ、その平面部４５ｃ，４７ｃを重ね合せ、接着剤や粘着テープで接着し固定する。この重ね合せられた平面部４５ｃ又は４７ｃの外側に電池ケース１６を、接着剤や粘着テープで固定する。
【００１６】
なお、ケース片４４，４５，４７に設けられた切欠部４４ｃ，４５ｄ，４７ｄ及びケース片４６の開口孔４６ａの切欠部４６ｅ，４６ｆは、スピーカ６とプリント基板１５の電子回路と電池ケース１６との間を配線する図示してないリード線の挿通孔になる部分である。また、ケース片４４を内側に１８０°折曲げた際その裏面を、前面部４３の裏面と接着剤等で接着させてもよい。
また、前記実施例では、外ケース１１及び内ケース１２又は４１の材質を厚紙として説明してあるが、ケースとしての組立強度や音響効果などの観点からは、段ボールを用いることが極めて有効であることが試験結果から把握されている。
【００１７】
【発明の効果】
本発明の電子オゴールは、前述したように、そのケースが厚紙、特に段ボールによって構成されているため、小ロット生産を可能にすると共に、製造工程を容易とし、生産コストの低減が図られ、更に音響的にも極めて良好な音質が得られるものである。また、外ケース本体が紙製であるため、様々な色紙を貼ることにより、外観的商品価値を高めることもできる。
【図面の簡単な説明】
【図１】本発明の電子オルゴールの一実施例の蓋を開いた状態の斜視図である。
【図２】本発明の電子オルゴールの電気部品等を組込んだ内ケース組立の一実施例の側面断面図である。
【図３】本発明の電子オルゴールの内ケース組立の一実施例の斜視図である。
【図４】電池ケースの外観図である。
【図５】本発明の電子オルゴールの内ケースの一実施例の展開図である。
【図６】本発明の電子オルゴールの外ケースの一実施例の展開図である。
【図７】本発明の電子オルゴールの内ケースの他の実施例の展開図である。
【図８】電子オルゴールのブロック回路図である。
【図９】図８に示したブロック回路図のコントローラとサウンドジェネレータとの間のタイミングを示す波形図である。
【符号の説明】
１  スイッチ
２  コントローラ
３  サウンドジェネレータ
４  オーディオアンプ
５  スピーカ
６  電源スイッチ付きボリューム
１１  外ケース
１２，４１  内ケース
１３  スピーカ収容室
１４  回路基板収容室
１５  回路基板
１６  電池ケース
１７  放音孔
１８  保持孔
１９  内ケース本体部
２０，４３  前面部
２１〜２４  内ケース本体部のケース片
２５  スピーカ位置決め板
２６  スピーカ押え板
２７  スピーカ押え板の中央部
２８，４８，４９  切起部
２９  外ケース本体部
３０，３１，３２，３３，３４，３５  外ケース本体部のケース片
４２  空間部
４４〜４７  内ケースのケース片
【図１】
0003963285.tif 000002
【図２】
0003963285.tif 000003
【図３】
0003963285.tif 000004
【図４】
0003963285.tif 000005
【図５】
0003963285.tif 000006
【図６】
0003963285.tif 000007
【図７】
0003963285.tif 000008
【図８】
0003963285.tif 000009
【図９】
0003963285.tif 000010